(57)【特許請求の範囲】
【請求項１】
カード搬送路で上下のユニットに分割可能なカードリーダ・ライタであって、
前記分割される一方のユニットは、カードを搬送する複数の駆動ローラに各々連結された複数のプーリと、前記複数のプーリに調帯されたベルトと、当該ベルトに押接することにより当該ベルトにテンションを付与するテンショナー機構とを備え、
前記他方のユニットは、カード搬送時には前記一方のユニットの複数のプーリのうち互いに隣接する２つのプーリの間に位置する前記ベルトに当接して駆動され、前記上下のユニット分割時には前記ベルトから離れるプーリを備えたことを特徴とするカードリーダ・ライタ。
【発明の詳細な説明】
【０００１】
【産業上の利用分野】
本発明は、プリペイドカードやＩＤカードに対して、必要な情報を記録・再生または印字するためのカードリーダ・ライタに関するものである。
【０００２】
【従来の技術】
近年、プリペイドカードやＩＤカードなどの磁気カードに磁気情報の記録・再生を行うカードリーダ・ライタが次第に普及してきている。以下に、従来のカードリーダ・ライタについて図を参照しながら説明する。図９は、従来のカードリーダ・ライタの側面断面図、図１０は同側面図、図１１は同上面図、図１２は同側面図である。
【０００３】
図９において、カードが装置本体１の前面に開口された挿入口２より挿入されると、モータ３によって駆動される第１駆動ローラ４、第２駆動ローラ５、第３駆動ローラ６と、それぞれに対応する押圧ローラ７，８，９と、プラテンローラ１０の回転によってカードは装置本体１の内部へ引き込まれ、第１駆動ローラ４、第２駆動ローラ５、第３駆動ローラ６と押圧ローラ７，８，９との間に位置するカード搬送路１１内を移動する。そして、第２駆動ローラ５と第３駆動ローラ６との間にある磁気ヘッド１２と押圧ローラ１３の間をカードが通過する時に磁気データの記録・再生が行われる。このとき、印字を行うためのサーマルヘッド１４はソレノイド１５によって引き上げられているが、印字する時にはソレノイド１５をもどし押圧バネ１６によってプラテンローラ１０に向けて押し下げる。
【０００４】
図１０は従来のカードリーダ・ライタの側面図であり、その上面にはカードリーダ・ライタを制御するための基板１７が設けられており、下面には装置本体１を取付けるための足１８が設けられている。
【０００５】
図１１は従来のカードリーダ・ライタの上面図である。側面には左右それぞれに一枚の板金からなるシャーシ１９，２０があり、第１駆動ローラ４を保持するシャフト２１や押圧ローラ１３を保持するシャフト２２やモータ３などを固定している。モータ３から第１駆動ローラ４および第２駆動ローラ５、第３駆動ローラ６への動力伝達は、まずモータ３の回転を歯車２３，２４で減速し第３駆動ローラ６へ回転を伝える。次に図１０に示される第３駆動ローラ６を保持するシャフト２５の先端に固定されたプーリ２６からベルト２７によってプラテンローラ１０の回転軸１０ａに固定されたプーリ２８及び第２駆動ローラ５のシャフト５ａに固定されたプーリ２９に伝達され、またプーリ２９の反対側にある図１１に示すプーリ３０から第１駆動ローラ４を保持するシャフト２１に固定されたプーリ３１へベルト３２により伝えられる。
【０００６】
また、第１駆動ローラ４、第２駆動ローラ５、第３駆動ローラ６、押圧ローラ７，８，９、磁気ヘッド１２、サーマルヘッド１４などの内部の機器に固着するごみや汚れを取り易くするため、図１２に示すようにカードが搬送する面上で装置本体１を上ユニット３３と下ユニット３４に分割することも知られている。このように装置本体１を上下に分割すれば、図示するように、上ユニット３３をその後端の支持シャフト３５を中心に上方に回転させて内部を露呈させることにより、内部の機器の清掃を容易に行え、保守管理にきわめて有利である。
【０００７】
【発明が解決しようとする課題】
カードリーダ・ライタはカードを装置本体の内部に取り込むため、カードによって内部の駆動ローラ、押圧ローラ、磁気ヘッド及びサーマルヘッドなどの機器にごみや汚れが固着しやすく、磁気データの記録再生エラーや印字不良の原因となる。そこで図１２に示すように、装置本体１を上ユニット３３と下ユニット３４に分割すると、内部の機器を露呈させて簡単に直接清掃することができる。しかし上ユニット３３と下ユニット３４を開くと、図１２に示すように動力伝達するベルト２７にたるみが発生し、開閉時にベルト２７がプーリ２６，２９から外れやすくなるという問題がある。
【０００８】
そこで本発明は、装置本体の上ユニットと下ユニットの開閉時のベルトのたるみを解消する機構を有するカードリーダ・ライタを提供することを目的とする。
【０００９】
【課題を解決するための手段】
本発明においては、カード搬送路で上下のユニットに分割可能なカードリーダ・ライタであって、分割される一方のユニットは、カードを搬送する複数の駆動ローラに各々連結された複数のプーリと、複数のプーリに調帯されたベルトと、当該ベルトに押接することにより当該ベルトにテンションを付与するテンショナー機構とを備え、他方のユニットは、カード搬送時には前記一方のユニットの複数のプーリのうち互いに隣接する２つのプーリの間に位置するベルトに当接して駆動され、上下のユニット分割時には前記ベルトから離れるプーリを備えて構成される。
【００１０】
【作用】
上記構成により、カード搬送路の面で上下のユニットを分割したときは、カード搬送時にベルトに当接して駆動され上下のユニット分割時にはベルトとの当接から離れるプーリがあるために、一方のユニット側に備えた複数のプーリを駆動する前記ベルトが弛みそうだが、テンショナー機構が備えたプーリがベルトに対して弾力的に移動押圧することによって、ベルトが弛むことはなく、ベルトがプーリが外れることを防止できる。
【００１１】
【実施例】
次に本発明の実施例について、図面を参照しながら説明する。図１は本発明の一実施例のカードリーダ・ライタの側面断面図、図２は同上面図、図３は同側面図、図４は同側面断面図、図５は同側面図である。前記従来例と同一要素には同一符号を付すことにより、説明は省略する。
【００１２】
図１において、装置本体１は上ユニット３３と下ユニット３４とにカード搬送路１１の面で分割されている。カード３６はカードリーダ・ライタの装置本体１の挿入口２から挿入され、装置本体１内のカード搬送路１１内を移動する。カード３６を搬送するために挿入口２より第１駆動ローラ４、第２駆動ローラ５、第３駆動ローラ６と、これらに対応する押圧ローラ７，８，９とがカード搬送路１１に沿って配置されており、カード搬送方向のローラ間の間隔はカード３６の長さよりも短く設定されている。第２駆動ローラ５と第３駆動ローラ６との間にはカード３６に磁気データの記録・再生を行うための磁気ヘッド１２と、磁気ヘッド１２にカード３６を押し付けるためのローラ１３があり、またカード３６に熱を加えて印字させるためのサーマルヘッド１４とカード３６をサーマルヘッド１４に押し付けながら搬送するためのプラテンローラ１０が設置されている。印字のときにはサーマルヘッド１４は押圧バネ１６によってカード３６に押し付けられるが、そのほかの場合にはソレノイド１５によって引き上げられている。装置本体１の上面にはカード搬送、磁気データの記録・再生、印字などの制御を行うための基板１７が設けられている。
【００１３】
図２は装置本体１の上面から基板１７をはずして見た本発明の一実施例のカードリーダ・ライタの上面図である。装置本体１の左右の側面には板金からなるシャーシ１９，２０があり、第１駆動ローラ４を保持するシャフト２１は軸受３７を介してシャーシ１９，２０に固定されており、第２駆動ローラ５、第３駆動ローラ６についても同様の構造である。また左右のシャーシ１９，２０はその間に配設された補強板３８，３９によって固定されており、一方の補強板３８にはサーマルヘッド１４を引き上げるためのソレノイド１５と、押し下げるための押圧バネ１６が取付けてある。
【００１４】
モータ３から第１駆動ローラ４、第２駆動ローラ５、第３駆動ローラ６までの動力伝達は、図２において、はじめに歯車２３，２４でモータ３の回転数を減速し第３駆動ローラ６へ伝えられる。次に図３に示すように第３駆動ローラ６を保持するシャフト２５の先端に固定されたプーリ２６からベルト２７によってプラテンローラ１０の回転軸１０ａに固定されたプーリ２８および第２駆動ローラ５の回転軸５ａに固定されたプーリ２９へ伝達され、図２に示すように、最後に第２駆動ローラ５のプーリ２９とは反対側にあるプーリ３０から第１駆動ローラ４のシャフト２１に固定されたプーリ３１へはベルト３２によって伝達される。
【００１５】
駆動ローラ４，５，６、押圧ローラ７，８，９、磁気ヘッド１２及びサーマルヘッド１４に固着するごみや汚れを容易に取り除くことができるよう、図４および図５に示すように、第１駆動ローラ４、第２駆動ローラ５、第３駆動ローラ６、サーマルヘッド１４、モータ３等を含む上ユニット３３と押圧ローラ７，８，９、磁気ヘッド１２、プラテンローラ１０等を含む下ユニット３４とにわかれている。下ユニット３４の後端部には支持板４０が固定され、上ユニット３３は端部の支持シャフト３５によって上方に回転自在となっている。下ユニット３４にはカードリーダ・ライタを固定するための足１８が取付けてある。そして、図５に示すように、上ユニット３３の上面には装置を制御するための基板１７が設けられており、支持シャフト３５の反対側にはカード搬送路１１を開閉するための把手４１が取付けてある。
【００１６】
しかしながら上記構成では、上ユニット３３と下ユニット３４を開いた場合、第３駆動ローラ６を回転させるためのプーリ２６と第２駆動ローラ５を回転させるためのプーリ２９とプラテンローラ１０を回転させるためのプーリ２８との間で動力を伝達するベルト２７にたるみが発生しベルト２７がプーリ２６，２９から外れやすくなるため、ベルト２７を押圧するテンショナーのプーリ４５を持ったテンショナー４３が設けてある。
【００１７】
次にベルト２７を押圧するテンショナー機構について説明する。図６は本発明の一実施例のカードリーダ・ライタに設けたテンショナーの正面図、図７は同正面断面図、図８は同側面断面図である。
【００１８】
テンショナー４３はプーリ２９とプーリ２６の間にあり、プラテンローラ１０を回転させるためのプーリ２８と反対に位置する上ユニット３３に設けられてベルト２７を押圧している。図８に示すようにテンショナー４３のホルダー４４はコの字型になっており、その中にはベルト２７を押圧するテンショナーのプーリ４５がシャフト４６によって支持されている。
【００１９】
ホルダー４４には溝４７が前後にあって後ろの溝幅はシャフト４６の直径より大きく、前の溝幅はそれより狭くなっており、シャフト４６の片側は前の溝４７に入るように加工してある。また、溝４７の長さは前後とも上ユニット３３を下ユニット３４から開けた時のベルト２７のたるみを吸収できるだけの長さ以上となっている。ベルト２７を押圧する手段として前後面に各々バネ４８が取付けてある。バネ４８の巻線部はホルダー４４に係合させ、その一端をホルダー４４の天井部にかけ、他端４９，５０は図８に示すようにテンショナーのプーリ４５を支持するシャフト４６にテンショナーのプーリ４５を挟むようにしてかけてある。
【００２０】
ここで、ホルダー４４とテンショナーのプーリ４５との間にはその両側にバネ４８の線径分だけ隙間が必要であるが、この隙間が大きすぎるとその分テンショナーのプーリ４５が傾き、ベルト２７が外れる可能性がある。そこで、ホルダー４４の溝４７の上方に部分的に隙間を無くすためのエンボス５１，５２を設けたことによりテンショナーのプーリ４５の傾きを防止してある。
【００２１】
【発明の効果】
以上説明したように本発明によると、装置本体の内部の機器の保守管理のために、装置本体を上ユニットと下ユニットに分割し、開閉できるようにしたカードリーダ・ライタにおいて、上ユニットと下ユニットを開いた場合に動力伝達のためのベルトがたるんでプーリからはずれるのを解消でき、開閉作業時の取扱いを容易にしたカードリーダ・ライタを提供することができる。
【図面の簡単な説明】
【図１】本発明の一実施例のカードリーダ・ライタの側面断面図
【図２】本発明の一実施例のカードリーダ・ライタの上面図
【図３】本発明の一実施例のカードリーダ・ライタの側面図
【図４】本発明の一実施例のカードリーダ・ライタの側面断面図
【図５】本発明の一実施例のカードリーダ・ライタの側面図
【図６】本発明の一実施例のカードリーダ・ライタに設けたテンショナーの正面図
【図７】本発明の一実施例のカードリーダ・ライタに設けたテンショナーの正面断面図
【図８】本発明の一実施例のカードリーダ・ライタに設けたテンショナーの側面断面図
【図９】従来のカードリーダ・ライタの側面断面図
【図１０】従来のカードリーダ・ライタの側面図
【図１１】従来のカードリーダ・ライタの上面図
【図１２】従来のカードリーダ・ライタの側面図
【符号の説明】
１  装置本体
４  第１駆動ローラ
５  第２駆動ローラ
６  第３駆動ローラ
１１  カード搬送路
２６，２８，２９  プーリ
２７  ベルト
３３  上ユニット
３４  下ユニット
４３  テンショナー
４５  テンショナーのプーリ
４８  バネ
【図１】
0003970343.tif 000002
【図２】
0003970343.tif 000003
【図３】
0003970343.tif 000004
【図４】
0003970343.tif 000005
【図５】
0003970343.tif 000006
【図６】
0003970343.tif 000007
【図７】
0003970343.tif 000008
【図８】
0003970343.tif 000009
【図９】
0003970343.tif 000010
【図１０】
0003970343.tif 000011
【図１１】
0003970343.tif 000012
【図１２】
0003970343.tif 000013